(57)【要約】【課題】異なる機器間で放送番組／記録コンテンツを継続視聴することができるようにする。【解決手段】視聴装置は、テレビジョン放送を受信する第１のチューナと、この第１のチューナが受信した番組を表示する第１の表示装置と、ユーザーにより入力された前記番組を継続視聴するための継続視聴指示を受け付ける受付装置と、前記継続視聴指示に応じて前記番組を視聴するための選局情報を出力する選局情報出力装置とを備える。継続視聴する視聴装置は、入力された前記選局情報に応じたテレビジョン放送の番組を選局受信する第２のチューナと、この第２のチューナが受信した番組を表示する第２の表示装置とを備える。【選択図】　　　図１
2004048132.tif 000002
【特許請求の範囲】
【請求項１】
表示する動画を指定する指定手段と、
この指定手段により指定された動画を出力する動画出力手段と、
この動画出力手段から入力された前記動画を表示する表示手段と、
ユーザーにより入力された前記番組を継続視聴するための継続視聴指示を受け付ける受付手段と、
この受付手段により受け付けられた前記継続視聴指示に応じて前記動画を継続視聴するための継続視聴情報を他の視聴装置へ出力する継続視聴情報出力手段とを備えたことを特徴とする視聴装置。
【請求項２】
表示する動画を指定する指定手段と、この指定手段により指定された動画を出力する第１の動画出力手段と、この第１の動画出力手段から入力された前記動画を表示する第１の表示手段と、ユーザーにより入力された前記番組を継続視聴するための継続視聴指示を受け付ける受付手段と、この受付手段により受け付けられた前記継続視聴指示に応じて前記動画を継続視聴するための継続視聴情報を出力する継続視聴情報出力手段とを備えた装置から、前記継続視聴情報が入力される継続視聴情報入力端と、
前記第１の動画出力手段とは異なる第２の動画出力手段と、
前記継続視聴情報入力端から入力された前記継続視聴情報に応じた動画を前記第２の動画出力手段から出力させる継続視聴制御手段と、
この継続視聴制御手段により制御の結果、前記第２の動画出力手段から出力された動画を表示する第２の表示手段とを備えたことを特徴とする視聴装置。
【請求項３】
テレビジョン放送を受信するチューナと、
このチューナが受信した番組を表示する表示手段と、
ユーザーにより入力された前記番組を継続視聴するための継続視聴指示を受け付ける受付手段と、
この受付手段により受け付けられた前記継続視聴指示に応じて前記番組を選局するための選局情報を他の視聴装置へ出力する選局情報出力手段とを備えたことを特徴とする視聴装置。
【請求項４】
テレビジョン放送を受信する第１のチューナと、この第１のチューナが受信した番組を表示する第１の表示手段と、ユーザーにより入力された前記番組を継続視聴するための継続視聴指示を受け付ける受付手段と、この受付手段により受け付けられた前記継続視聴指示に応じて前記番組を視聴するための選局情報を出力する選局情報出力手段とを備えた装置から、前記選局情報が入力される選局情報入力端と、
この選局情報入力端から入力された前記選局情報に応じたテレビジョン放送の番組を選局受信する第２のチューナと、
この第２のチューナが受信した番組を表示する第２の表示手段とを備えたことを特徴とする視聴装置。
【請求項５】
テレビジョン放送を受信する第１のチューナと、この第１のチューナが受信した番組を表示する第１の表示手段と、ユーザーにより入力された前記番組を継続視聴するための継続視聴指示を受け付ける受付手段と、この受付手段により受け付けられた前記継続視聴指示に応じて前記番組を視聴するための選局情報を出力する選局情報出力手段とを備えた装置から、前記選局情報が入力される選局情報入力端と、
この選局情報入力端から入力された前記選局情報に応じたテレビジョン放送の番組を選局受信する第２のチューナと、
この第２のチューナが受信した番組を記録媒体へ記録する記録手段と、
前記記録媒体へ記録された前記番組を再生する再生手段とを備えたことを特徴とする視聴装置。
【請求項６】
記録媒体に記録されているコンテンツを再生する再生手段と、
この再生手段が再生したコンテンツを表示する表示手段と、
ユーザーにより入力された前記コンテンツを継続視聴するための継続視聴指示を受け付ける受付手段と、
この受付手段により受け付けられた前記継続視聴指示に応じて前記コンテンツを視聴するための継続視聴情報を他の視聴装置へ出力する継続視聴情報出力手段とを備えたことを特徴とする視聴装置。
【請求項７】
第１の記録媒体に記録されているコンテンツを再生する第１の再生手段と、この第１の再生手段が再生したコンテンツを表示する第１の表示手段と、ユーザーにより入力された前記コンテンツを継続視聴するための継続視聴指示を受け付ける受付手段と、この受付手段により受け付けられた前記継続視聴指示に応じて前記コンテンツを視聴するための継続視聴情報を他の視聴装置へ出力する継続視聴情報出力手段とを備えた装置から、前記継続視聴情報が入力される継続視聴情報入力端と、
この継続視聴情報入力端から入力された前記継続視聴情報に応じたコンテンツを第２の記録媒体から検索する検索手段と、
この検索手段により検索されたコンテンツを再生する第２の再生手段と、
この第２の再生手段が再生したコンテンツを表示する第２の表示手段とを備えたことを特徴とする視聴装置。
【請求項８】
前記継続視聴情報は前記コンテンツの再生位置情報を含み、前記第２の再生手段は前記検索手段により検索されたコンテンツを前記再生位置情報に応じた位置から再生を開始する手段を備えたことを特徴とする請求項７に記載の視聴装置。
【請求項９】
指定手段により、表示する動画を指定し、
動画出力手段により、前記指定手段によって指定された動画を出力し、
表示手段により、前記動画出力手段から入力された前記動画を表示し、
受付手段により、ユーザーにより入力された前記番組を継続視聴するための継続視聴指示を受け付け、
継続視聴情報出力手段により、前記受付手段により受け付けられた前記継続視聴指示に応じて前記動画を継続視聴するための継続視聴情報を他の視聴装置へ出力することを特徴とする視聴方法。
【請求項１０】
表示する動画を指定する指定手段と、前記指定手段により指定された動画を出力する第１の動画出力手段と、この第１の動画出力手段から入力された前記動画を表示する第１の表示手段と、ユーザーにより入力された前記番組を継続視聴するための継続視聴指示を受け付ける受付手段と、前記受付手段により受け付けられた前記継続視聴指示に応じて前記動画を継続視聴するための継続視聴情報を出力する継続視聴情報出力手段とを備えた装置から、継続視聴情報入力端に前記継続視聴情報が入力され、
継続視聴制御手段により、前記継続視聴情報入力端から入力された前記継続視聴情報に応じた動画を前記第１の動画出力手段とは異なる第２の動画出力手段から出力させ、
第２の表示手段により、前記継続視聴制御手段により制御の結果、前記第２の動画出力手段から出力された動画を表示することを特徴とする視聴方法。
【発明の詳細な説明】
【０００１】
【発明の属する技術分野】
この発明は、テレビジョン放送や番組を視聴する視聴装置および視聴方法に関し、特に例えば携帯端末のような第１の視聴装置から据え置きＴＶのような第２の視聴装置へ継続視聴可能な視聴装置および視聴方法に関する。
【０００２】
【従来の技術】
従来、携帯端末と据え置きＴＶとの連携に関する技術については、例えば特開２０００−１８１４２１号公報「親子連携型表示システム」に記載されている。この文献では、画像情報は大画面の親機（据え置きＴＶ）で見ながら、文字などの関連情報はユーザーの手元あるいは近傍にある子機（携帯型端末も可能）で見ることを可能とするものである。実際には、大型の据え置きＴＶ（親機）と小型のＴＶ（子機）を連動させて親機から特に文字情報で提供されるような番組情報をユーザーの手元にある子機に送信し、文字情報の視認度を向上させている。また、文字情報の他、画像や音声情報，タイムシフト視聴の情報等を子機に送信することについても記載されている。
【０００３】
【発明が解決しようとする課題】
しかしながら、上記した従来技術においては据え置きＴＶ（親機）からモバイル（携帯型）ＴＶ（子機）に番組の表示のための情報を転送するのみで、番組の選局情報や視聴位置情報を据え置きＴＶ（親機）とモバイルＴＶ（子機）とで共有していない。このため例えば据え置きＴＶで見ていた番組を外出するあるいは別の部屋に移動する等してその部屋から離れた場合に、自分でモバイルＴＶの選局を設定し直さなければ同じ番組を継続して視聴することができなかった。
【０００４】
この発明は、据え置きＴＶとモバイルＴＶとの間で番組の選局情報を引き継ぐことにより、例えば、据え置きＴＶで見ていた番組を外出するあるいは別の部屋に移動する等してその部屋から離れた場合に手元のモバイルＴＶで同じ番組の継続視聴することを可能とする、視聴装置および視聴方法を提供することを目的とする。
【０００５】
また、特にモバイルＴＶと据え置きＴＶに蓄積装置が内蔵されている場合には、据え置きＴＶとモバイルＴＶとの間で、ユーザーが番組をどこまで視聴していたかを判断するための視聴位置情報を引き継ぐことにより、据え置きＴＶとモバイルＴＶとで同じ番組を同じ位置から継続視聴することが可能とする、視聴装置および視聴方法を提供することを目的とする。
【０００６】
また、機器を変えて継続視聴することができる使い勝手の良い、視聴装置および視聴方法を提供することを目的とする。
また、継続視聴する側の機器の電源を手動でＯＮさせることなく継続視聴を開始することができる。
【０００７】
【課題を解決するための手段】
上記の目的を達成するために、この発明においては、表示する動画を指定する指定手段と、
この指定手段により指定された動画を出力する動画出力手段と、この動画出力手段から入力された前記動画を表示する表示手段と、ユーザーにより入力された前記番組を継続視聴するための継続視聴指示を受け付ける受付手段と、この受付手段により受け付けられた前記継続視聴指示に応じて前記動画を継続視聴するための継続視聴情報を他の視聴装置へ出力する継続視聴情報出力手段とを備えたことを特徴とする視聴装置を提供する。
【０００８】
また、上記の目的を達成するために、この発明においては、表示する動画を指定する指定手段と、この指定手段により指定された動画を出力する第１の動画出力手段と、この第１の動画出力手段から入力された前記動画を表示する第１の表示手段と、ユーザーにより入力された前記番組を継続視聴するための継続視聴指示を受け付ける受付手段と、この受付手段により受け付けられた前記継続視聴指示に応じて前記動画を継続視聴するための継続視聴情報を出力する継続視聴情報出力手段とを備えた装置から、前記継続視聴情報が入力される継続視聴情報入力端と、前記第１の動画出力手段とは異なる第２の動画出力手段と、前記継続視聴情報入力端から入力された前記継続視聴情報に応じた動画を前記第２の動画出力手段から出力させる継続視聴制御手段と、
【０００９】
この継続視聴制御手段により制御の結果、前記第２の動画出力手段から出力された動画を表示する第２の表示手段とを備えたことを特徴とする視聴装置を提供する。
また、上記の目的を達成するために、この発明においては、指定装置により、表示する動画を指定し、動画出力装置により、前記指定装置によって指定された動画を出力し、表示装置により、前記動画出力装置から入力された前記動画を表示し、受付装置により、ユーザーにより入力された前記番組を継続視聴するための継続視聴指示を受け付け、継続視聴情報出力装置により、前記受付装置により受け付けられた前記継続視聴指示に応じて前記動画を継続視聴するための継続視聴情報を他の視聴装置へ出力することを特徴とする視聴方法を提供する。
【００１０】
また、上記の目的を達成するために、この発明においては、表示する動画を指定する指定装置と、前記指定装置により指定された動画を出力する第１の動画出力装置と、この第１の動画出力装置から入力された前記動画を表示する第１の表示装置と、ユーザーにより入力された前記番組を継続視聴するための継続視聴指示を受け付ける受付装置と、前記受付装置により受け付けられた前記継続視聴指示に応じて前記動画を継続視聴するための継続視聴情報を出力する継続視聴情報出力装置とを備えた装置から、継続視聴情報入力端に前記継続視聴情報が入力され、継続視聴制御装置により、前記継続視聴情報入力端から入力された前記継続視聴情報に応じた動画を前記第１の動画出力装置とは異なる第２の動画出力装置から出力させ、第２の表示装置により、前記継続視聴制御装置により制御の結果、前記第２の動画出力装置から出力された動画を表示することを特徴とする視聴方法を提供する。
【００１１】
【発明の実施の形態】
本明細書中、コンテンツとは、映画、ＴＶ番組等そのプログラムを識別可能なものであれば何であっても良い。
（第１の実施の形態）
以下、本発明の第１の実施の形態の構成について図１を参照しながら詳細に説明する。
図１は、本発明の第１の実施の形態に係る視聴装置（据え置きＴＶ，モバイルＴＶ）の構成を示すブロック図である。
この第１の実施の形態は、内蔵記録再生装置を持たない据え置きＴＶ１００で番組を視聴していたユーザーが内蔵記録再生装置を持たないモバイルＴＶ２００を持って外出する場合とその逆の内蔵記録再生装置を持たないモバイルＴＶ２００で番組を視聴していたユーザーが外出先から帰宅して内蔵記録再生装置を持たない据え置きＴＶ１００の設置してある部屋に戻ってきた場合の例である。この場合は両者とも番組を記録するための記録再生装置を持たないので番組情報として選局情報および有料放送の契約情報を引き継ぐことにより、視聴番組の引継ぎを行う。契約情報に関しては機密保持の為に暗号化を行い情報を転送するために、契約情報の記録されたＩＣカードを差し替える、或いは契約情報の記録されたＩＣカードを据え置きＴＶ１００とモバイルＴＶ２００の両者に挿入する等が必要である。
【００１２】
図１において、１００は家庭の居間などに置かれる据え置き型の大型テレビ（据え置きＴＶ）、１０１はテレビ画面を表示する為の表示部、１０２は据え置きＴＶ１００に接続され、外部からのＴＶ放送電波を受信する為の受信アンテナ、１０３は受信した信号を選局する為のチューナー、１０４は据え置きＴＶ１００の各種制御を行う制御部の中心となるＣＰＵ（Ｃｅｎｔｒａｌ　Ｐｒｏｃｅｓｓｉｎｇ　Ｕｎｉｔ）、１０５はＣＰＵ１０４が実行する制御プログラムを記憶する記憶領域とメモリ作業領域を有するメモリ、１０７は外部機器からのデータ送受信部やコマンド受信部とのインターフェイス部、１０８は外部機器と有線あるいは無線によりデータ通信を行う為の受信部、同様に１０９はデータ通信を行う為の送信部、１１０は据え置きＴＶ１００の外部からコマンドを送信して据え置きＴＶ１００の制御を行うリモートコントローラ（いわゆるリモコン）、１１１はリモートコントローラ１１０からのコマンドの受信を行うコマンド受信部である。
【００１３】
２００は持ち運んで使用する小型の携帯用テレビ（モバイルＴＶ）、２０１はテレビ画面を表示する為の表示部、２０２はモバイルＴＶ２００に接続され、外部からのＴＶ放送電波を受信する為の受信アンテナ、２０３は受信した信号を選局する為のチューナー、２０４はモバイルＴＶ２００の制御部の中心となるＣＰＵ、２０５はＣＰＵ２０４が実行する制御プログラムを記憶する記憶領域とメモリ作業領域を有するメモリ、２０７は外部機器からのデータ送受信部やコマンド受信部とのインターフェイス部、２０８は外部機器と有線あるいは無線によりデータ通信を行う為の受信部、同様に２０９はデータ通信を行う為の送信部、２１０はコマンド入力をするコマンド入力部である。
【００１４】
以上説明した通り、据え置きＴＶ１００とモバイルＴＶ２００はほぼ同じ構成をしている。異なるのはモバイルＴＶ２００が持ち運んで使用するために携帯に便利なように軽量で小型なＴＶであり、機器自体にコマンド入力をする装置（コマンド入力部２１０）を持っていることである。
【００１５】
据え置きＴＶ１００とモバイルＴＶ２００とは、データ送信部１０９，２０８及びデータ受信部１０８，２０８を用いて相互に有線あるいは無線でデータを送受信可能な構成となっている。
【００１６】
次に、本発明の第１の実施の形態の動作について図２を参照しながら詳細に説明する。
（据え置きＴＶ１００からモバイルＴＶ２００へ視聴継続する場合の動作）
まず、内蔵記録再生装置を持たない据え置きＴＶ１００で番組を視聴していたユーザーが、内蔵記録再生装置を持たないモバイルＴＶ２００を持って外出する場合の動作について詳細に説明する。
【００１７】
図２は、内蔵記録再生装置を持たない据え置きＴＶ１００で番組を視聴していたユーザーが、内蔵記録再生装置を持たないモバイルＴＶ２００を持って外出する場合の動作を示すフローチャートである。この場合は両者とも番組を記録するための記録再生装置を持たないので番組情報として選局情報を引き継ぐことにより視聴番組の引継ぎを行う。
【００１８】
図２において据え置きＴＶ１００内のＣＰＵ１０４は、据え置きＴＶ１００で放送中の番組を視聴しているとき（ステップＳ１０１）に、まず番組引継ぎモードが設定されているかどうか判定を行う（ステップＳ１０２）。ＣＰＵ１０４はステップＳ１０２で判定の結果、番組引継ぎモードに設定されている場合は、続いて有線でモバイルＴＶ２００と接続されているかどうか検知する（ステップＳ１０３）。またＣＰＵ１０４はステップＳ１０２で判定の結果、番組引継ぎモードに設定されていない場合は何も処理を行わずステップＳ１０１に戻る。
【００１９】
ＣＰＵ１０４はステップＳ１０３で、有線でモバイルＴＶ２００と接続されていることが確認された場合は、番組情報転送処理開始コマンドを発行する（ステップＳ１０４）。ＣＰＵ１０４はステップＳ１０３で、有線でモバイルＴＶ２００と接続されていない場合はステップＳ１０１に戻る。
【００２０】
ＣＰＵ１０４はステップＳ１０４で発行された番組情報転送処理開始コマンドにより、視聴中の番組情報、例えば、アナログ放送であれば放送局情報、デジタル放送であればＰＩＤ（Ｐａｃｋｅｔ　Ｉｄｅｎｔｉｆｉｃａｔｉｏｎ）等の選局情報の抽出を行い、更に有料放送の場合は契約情報の抽出も行い（ステップＳ１０５）、抽出した選局情報および必要に応じて暗号化した契約情報を番組情報としてモバイルＴＶ２００に送信する（ステップＳ１０６）。
【００２１】
図２では有線での通信を例にとって説明を行っているが、もちろん他の検知手段を用いて番組情報転送処理開始コマンドの発行を行っても構わない。例えばリモートコントローラ１１０に存在する特定のボタン（例えば番組情報送出ボタン等：図示せず）が押されたこと、据え置きＴＶ１００の近傍で相互通信可能なモバイルＴＶ２００の電源が入れられたことを据え置きＴＶ１００が検知して番組情報転送処理開始コマンドの発行を行っても構わない。或いは据え置きＴＶ１００と相互通信可能なモバイルＴＶ２００との間で基準信号を一定の時間間隔で通信を行い、この基準信号の強度がある閾値を超えたことを検知して番組情報転送処理開始コマンドの発行を行っても構わない。
【００２２】
また、有線による通信と、ＢｌｕｅｔｏｏｔｈやＩＥＥＥ８０２．１１のような無線による通信とを自動検出するような手段を組み込んでも構わない。
また、モバイルＴＶ２００の電源が切れていた場合でも、モバイルＴＶ２００のデータ受信部２０８，インターフェイス部２０７，ＣＰＵ２０４，メモリ２０５だけ動作させておく待機状態のときにデータ受信部２０８が選局情報を受け取ると、ＣＰＵ２０４は自動的に継続視聴する側の機器（この例ではモバイルＴＶ２００）の電源をＯＮして前記選局情報に応じた選局を行うようにしても良い。これにより継続視聴する側の機器の電源を手動でＯＮさせることなく継続視聴を開始することができる。これについては以下、全ての実施の形態でも同様に適用することができる。
【００２３】
モバイルＴＶ２００内のＣＰＵ２０４は、据え置きＴＶ１００から送信された番組情報を受信する（ステップＳ２０１）。
次に、ＣＰＵ２０４は番組情報引継ぎモードに設定されているかどうか判定を行い（ステップＳ２０２）、番組情報引継ぎモードに設定されている場合は続けて現在放送中の番組かどうか判定を行う（ステップＳ２０３）。またＣＰＵ２０４はステップＳ２０２で判定した結果、番組情報引継ぎモードに設定されていない場合は何も処理を行わず終了する。
【００２４】
ＣＰＵ２０４はステップＳ２０３の判定の結果、現在放送中の番組であればチューナー２０３を選局して番組を受信し（ステップＳ２０４）、現在放送中の番組でなければ、番組が現在放送中の番組でないことをユーザーに案内する画面や音声等を表示／再生する（ステップＳ２０５）。上記ステップＳ２０４では、有料放送の場合、必要に応じて契約情報を基にスクランブルの解除についても行う。
【００２５】
（モバイルＴＶ２００から据え置きＴＶ１００へ視聴継続する場合の動作）
次に、内蔵記録再生装置を持たないモバイルＴＶ２００で番組を視聴していたユーザーが外出先から帰宅して内蔵記録再生装置を持たない据え置きＴＶ１００の設置してある部屋に戻ってきた場合の動作について詳細に説明する。
【００２６】
図３は、内蔵記録再生装置を持たないモバイルＴＶ２００で番組を視聴していたユーザーが外出先から帰宅して内蔵記録再生装置を持たない据え置きＴＶ１００の設置してある部屋に戻ってきて、据え置きＴＶ１００で引き続き同じ番組を視聴する場合の動作を示すフローチャートである。この場合は両者とも番組を記録するための記録再生装置を持たないので番組情報として選局情報を引き継ぐことにより視聴番組の引継ぎを行う。
【００２７】
図３においてモバイルＴＶ２００内のＣＰＵ２０４は、モバイルＴＶ２００で放送中の番組を視聴しているとき（ステップＳ３０１）に、まず番組引継ぎモードが設定されているかどうか判定を行う（ステップＳ３０２）。ＣＰＵ１０４はステップＳ３０２で判定の結果、番組引継ぎモードに設定されている場合は、続いて有線で据え置きＴＶ１００と接続されているかどうか検知する（ステップＳ３０３）。またＣＰＵ２０４はステップＳ３０２で判定の結果、番組引継ぎモードに設定されていない場合は何も処理を行わずステップＳ３０１に戻る。
【００２８】
ＣＰＵ２０４はステップＳ３０３で、有線で据え置きＴＶ１００と接続されていることが確認された場合は、番組情報転送処理開始コマンドを発行する（ステップＳ３０４）。ＣＰＵ２０４はステップＳ３０３で、有線で据え置きＴＶ１００と接続されていない場合はステップＳ３０１に戻る。
【００２９】
ＣＰＵ２０４はステップＳ３０４で発行された番組情報転送処理開始コマンドにより、視聴中の番組情報、例えば、アナログ放送であれば放送局情報、デジタル放送であればＰＩＤ（Ｐａｃｋｅｔ　Ｉｄｅｎｔｉｆｉｃａｔｉｏｎ）等の選局情報の抽出を行い、更に有料放送の場合は契約情報の抽出も行い（ステップＳ３０５）、抽出した選局情報および必要に応じて暗号化した契約情報を番組情報として据え置きＴＶ１００に送信する（ステップＳ３０６）。
【００３０】
図３では有線通信を例にとって説明を行っているが、もちろん他の検知手段を用いて番組情報転送処理開始コマンドの発行を行っても構わない。例えばモバイルＴＶに存在する特定のボタン（例えば番組情報送出ボタン等：図示せず）が押されたこと、モバイルＴＶ２００の近傍で相互通信可能な据え置きＴＶ１００の電源が入れられたことをモバイルＴＶ２００が検知して番組情報転送処理開始コマンドの発行を行っても構わない。或いは据え置きＴＶ１００と相互通信可能なモバイルＴＶ２００との間で基準信号を一定の時間間隔で通信を行い、この基準信号の強度がある閾値を超えたことを検知して番組情報転送処理開始コマンドの発行を行っても構わない。
【００３１】
また、有線による通信と、ＢｌｕｅｔｏｏｔｈやＩＥＥＥ８０２．１１のような無線による通信とを自動検出するような手段を組み込んでも構わない。
据え置きＴＶ１００内のＣＰＵ１０４は、モバイルＴＶ２００から送信された番組情報を受信する（ステップＳ４０１）。
次に、ＣＰＵ１０４は番組情報引継ぎモードに設定されているかどうか判定を行い（ステップＳ４０２）、番組情報引継ぎモードに設定されている場合は続けて現在放送中の番組かどうか判定を行う（ステップＳ４０３）。またＣＰＵ１０４はステップＳ４０２で判定の結果、番組情報引継ぎモードに設定されていない場合は何も処理を行わない。
【００３２】
ＣＰＵ１０４はステップＳ４０３の判定の結果、現在放送中の番組であればチューナー１０３を選局して番組を受信し（ステップＳ４０４）、
現在放送中の番組でなければ番組が放送中の番組でないことをユーザーに案内する画面や音声等を表示／再生する（ステップＳ４０５）。上記ステップＳ４０４では、有料放送の場合、必要に応じて契約情報を基にスクランブルの解除についても行う。
【００３３】
ＴＶ１００とＴＶ２００はそれぞれ据え置きＴＶとモバイルＴＶに限る必要はなく、番組情報転送処理開始コマンドを発行するしくみを工夫して組み合わせることは自由である。
【００３４】
以上説明したとおり本発明の第１の実施の形態によれば、複数の機器間で番組を継続視聴することができる。
（第２の実施の形態）
以下、本発明の第２の実施の形態の構成について図４を参照しながら詳細に説明する。
図４は、本発明の第２の実施の形態に係る視聴装置（据え置きＴＶ，モバイルＴＶ）の構成を示すブロック図である。
この第２の実施の形態は内蔵記録再生装置を持たない据え置きＴＶ１００で番組を視聴していたユーザーが内蔵記録再生装置を持つモバイルＴＶ２００を持って外出する場合とその逆の内蔵記録再生装置を持っているモバイルＴＶ２００で番組を視聴していたユーザーが外出先から帰宅して内蔵記録再生装置を持たない据え置きＴＶ１００の設置してある部屋に戻ってきた場合の実施例である。
【００３５】
図４は図１と比較して、モバイルＴＶ２００内に記録再生装置４０１が追加された点のみが異なっている。図１と同じ構成については説明を省略し、異なる点についてのみ説明をする。
【００３６】
図４において、モバイルＴＶ２００内に放送番組の画像データや音声データ・文字情報等を記録する為の記録再生装置４０１が設けられている。記録再生装置４０１は、ＣＰＵ２０４により制御され、チューナー２０３により受信された信号を内部の記録媒体に記録／再生する。
【００３７】
次に、本発明の第２の実施の形態の動作について図５を参照しながら詳細に説明する。
（据え置きＴＶ１００からモバイルＴＶ２００へ視聴継続する場合の動作）
まず、内蔵記録再生装置を持たない据え置きＴＶ１００で番組を視聴していたユーザーが、内蔵記録再生装置を持つモバイルＴＶ２００を持って外出する場合の動作について詳細に説明する。
【００３８】
図５は、内蔵記録再生装置を持たない据え置きＴＶ１００で番組を視聴していたユーザーが、内蔵記録再生装置を持たないモバイルＴＶ２００を持って外出する場合の動作を示すフローチャートである。この場合はモバイルＴＶ２００が番組を記録するための記録再生装置を持っているが据え置きＴＶ１００は記録再生装置を持っていないので番組情報として選局情報および有料放送の契約情報を引き継ぐことにより視聴番組の引継ぎを行う。
【００３９】
図５は図２と比較して、ステップＳ５０１が追加された点のみが異なっている。図２と同じフローチャートについては説明を省略し、異なる点についてのみ説明をする。
【００４０】
図５において、ＣＰＵ２０４はステップＳ２０３の判定の結果、現在放送中の番組であればチューナー２０３を選局して番組を受信し（ステップＳ２０４）、外出先に移動するときに画面を見ていられないことが有り得るので記録再生装置４０１で番組を記録開始する（ステップＳ５０１）。この番組の記録を自動で行うかユーザーに対して記録の確認を求めるようにするかユーザーが予め設定し選択できるようにしたり、記録前にユーザーに対して記録の確認を求めるようにするようにしたり、記録再生装置４０１内の記録媒体の空き記録領域が不足している場合はユーザーに対して確認を求める手順を踏むようにするのは特に図示していないが自由である。上記ステップＳ２０４では、有料放送の場合、必要に応じて契約情報を基にスクランブルの解除についても行う。
【００４１】
図５では有線通信を例にとって説明を行っているが、もちろん他の検知手段を用いて番組情報転送処理開始コマンドの発行を行っても構わない。例えばリモートコントローラ１１０に存在する特定のボタン（例えば番組情報送出ボタン等：図示せず）が押されたこと、据え置きＴＶ１００の近傍で相互通信可能なモバイルＴＶ２００の電源が入れられたことを据え置きＴＶ１００が検知して番組情報転送処理開始コマンドの発行を行っても構わない。或いは据え置きＴＶ１００と相互通信可能なモバイルＴＶ２００との間で基準信号を一定の時間間隔で通信を行い、この基準信号の強度がある閾値を超えたことを検知して番組情報転送処理開始コマンドの発行を行っても構わない。
【００４２】
また、有線による通信と、ＢｌｕｅｔｏｏｔｈやＩＥＥＥ８０２．１１のような無線による通信とを自動検出するような手段を組み込んでも構わない。
（モバイルＴＶ２００から据え置きＴＶ１００へ視聴継続する場合の動作）
次に、内蔵記録再生装置を持っているモバイルＴＶ２００で番組を視聴していたユーザーが外出先から帰宅して内蔵記録再生装置を持たない据え置きＴＶ１００の設置してある部屋に戻ってきた場合の動作については、第１の実施の形態と同じなので説明は省略する。
【００４３】
以上説明したとおり本発明の第２の実施の形態によれば、複数の機器間で番組を継続視聴することができる。
（第３の実施の形態）
以下、本発明の第３の実施の形態の構成について図６を参照しながら詳細に説明する。
図６は、本発明の第３の実施の形態に係る視聴装置（据え置きＴＶ，モバイルＴＶ）の構成を示すブロック図である。
この第３の実施の形態は内蔵記録再生装置を持つ据え置きＴＶ１００で番組を視聴していたユーザーが内蔵記録再生装置を持つモバイルＴＶ２００を持って外出する場合と、この逆で内蔵記録再生装置を持つモバイルＴＶ２００で番組を視聴していたユーザーが内蔵記録再生装置を持つ据え置きＴＶ１００を持って外出する場合の実施例である。この場合は据え置きＴＶ１００およびモバイルＴＶ２００の両者が番組を記録するための記録再生装置を持っているので番組情報として選局情報および有料放送の契約情報と共に番組視聴位置情報（再生位置情報）を引き継ぐことにより、視聴番組の継続視聴を実現している。
【００４４】
また第３の実施の形態では番組情報だけでなく、蓄積されている番組内容（映像・音声・文字情報など）を両ＴＶ間で転送することも可能となっている。番組内容データの転送は必要に応じてコード化方式の変換を行う（例えばＭＰＥＧ２方式からＭＰＥＧ４方式に変換する）等してデータ転送を高速に行ってもよい。
【００４５】
図６は図４と比較して、据え置きＴＶ１００内に記録再生装置６０１が追加された点のみが異なっている。図４と同じ構成については説明を省略し、異なる点についてのみ説明をする。
【００４６】
図６において、据え置きＴＶ１００内に放送番組の画像データや音声データ・文字情報等を記録する為の記録再生装置６０１が設けられている。記録再生装置６０１は、ＣＰＵ１０４により制御され、チューナー１０３により受信された信号を内部の記録媒体に記録／再生する。
【００４７】
次に、本発明の第３の実施の形態の動作について図７を参照しながら詳細に説明する。
（据え置きＴＶ１００からモバイルＴＶ２００へ視聴継続する場合の動作）
まず、内蔵記録再生装置を持つ据え置きＴＶ１００で番組を視聴していたユーザーが、内蔵記録再生装置を持つモバイルＴＶ２００を持って外出する場合の動作について詳細に説明する。
【００４８】
図７は、内蔵記録再生装置を持つ据え置きＴＶ１００で番組を視聴していたユーザーが、内蔵記録再生装置を持つモバイルＴＶ２００を持って外出する場合の動作を示すフローチャートである。
【００４９】
図７において、据え置きＴＶ１００内のＣＰＵ１０４は、据え置きＴＶ１００で放送中の番組を視聴しているとき（ステップＳ７０１）に、まず番組引継ぎモードが設定されているかどうか判定を行う（ステップＳ７０２）。ＣＰＵ１０４はステップＳ７０２で判定の結果、番組引継ぎモードに設定されている場合は、続いて有線でモバイルＴＶ２００と接続されているかどうか検知する（ステップＳ７０３）。またＣＰＵ１０４はステップＳ７０２で判定の結果、番組引継ぎモードに設定されていない場合は何も処理を行わずステップＳ７０１に戻る。
【００５０】
ＣＰＵ１０４はステップＳ７０３で、有線でモバイルＴＶ２００と接続されていることが確認された場合は、番組情報転送処理開始コマンドを発行する（ステップＳ７０４）。ＣＰＵ１０４はステップＳ７０３で、有線でモバイルＴＶ２００と接続されていない場合はステップＳ７０１に戻る。
【００５１】
ＣＰＵ１０４は、この番組情報処理開始コマンドにより現在放送中の番組であるかどうかを判断し（ステップＳ７０５）、放送中の番組であると判定した場合、視聴中の番組情報、例えばアナログ放送であれば放送局情報、デジタル放送であればＰＩＤ等の選局情報、更には有料放送の場合には契約情報の抽出を行う（ステップＳ７０６）。
【００５２】
ステップＳ７０５でＣＰＵ１０４が放送中の番組でないと判定した場合には記録再生装置６０１から再生した番組を視聴している状態なので、再生視聴中の番組情報、例えばアナログ放送であれば放送局情報、デジタル放送であればＰＩＤ等の選局情報、更には有料放送の場合は契約情報、視聴位置情報（番組のどの位置まで視聴したかを示す情報）の抽出を行う（ステップＳ７０７）。
【００５３】
上記ステップＳ７０６にて抽出した番組情報（選局情報＋暗号化した［契約情報］）またはステップＳ７０７にて抽出した番組情報（選局情報＋暗号化した［契約情報］＋視聴位置情報）をモバイルＴＶ２００に送信する（ステップＳ７０８）。
【００５４】
ステップＳ７０６，Ｓ７０７では、番組がスクランブル等の暗号化がかけられておらず平文で記録されている場合は契約情報の転送は必要ない。
また、上記した視聴位置情報（番組のどの位置まで視聴したかを示す情報）とは、番組をどこまで再生していたかを示す情報で、番組の先頭からの積算時間（タイムスタンプ）、あるいはデジタル放送であれば、パケット内に記載されているＰＴＳ（Ｐｒｅｓｅｎｔａｔｉｏｎ　Ｔｉｍｅ　Ｓｔａｍｐ）やＤＴＳ（Ｄｅｃｏｄｉｎｇ　Ｔｉｍｅ　Ｓｔａｍｐ）等のタイムスタンプを利用しても良い。
【００５５】
図７では有線通信を例にとって説明を行っているが、もちろん他の検知手段を用いて番組情報転送処理開始コマンドの発行を行っても構わない。例えばリモートコントローラ１１０に存在する特定のボタン（例えば番組情報送出ボタン等：図示せず）が押されたこと、据え置きＴＶ１００の近傍で相互通信可能なモバイルＴＶ２００の電源が入れられたことを据え置きＴＶ１００が検知して番組情報転送処理開始コマンドの発行を行っても構わない。或いは据え置きＴＶ１００と相互通信可能なモバイルＴＶ２００との間で基準信号を一定の時間間隔で通信を行い、この基準信号の強度がある閾値を超えたことを検知して番組情報転送処理開始コマンドの発行を行っても構わない。
【００５６】
また、有線による通信と、ＢｌｕｅｔｏｏｔｈやＩＥＥＥ８０２．１１のような無線による通信とを自動検出するような手段を組み込んでも構わない。
モバイルＴＶ２００内のＣＰＵ２０４は、据え置きＴＶ１００から送信された番組情報を受信する（ステップＳ８０１）。
次に、ＣＰＵ２０４は番組情報引継ぎモードに設定されているかどうか判定を行い（ステップＳ８０２）、番組情報引継ぎモードに設定されている場合は続けて現在放送中の番組かどうか判定を行う（ステップＳ８０３）。またＣＰＵ２０４はステップＳ８０２で判定した結果、番組情報引継ぎモードに設定されていない場合は何も処理を行わず終了する。
【００５７】
ＣＰＵ２０４はステップＳ８０３の判定の結果、現在放送中の番組であればチューナー２０３を選局して番組を受信し（ステップＳ８０４）、現在放送中の番組でなければ、記録再生装置４０１からこれまでユーザーが視聴していた番組が記録再生装置４０１内の記録媒体に記録されていないか検索する（ステップＳ８０５）。上記ステップＳ８０４では、有料放送の場合、必要に応じて契約情報を基にスクランブルの解除についても行う。
【００５８】
ＣＰＵ２０４は、ステップＳ８０５での検索の結果、ステップＳ８０６にてこれまで据え置きＴＶ１００で視聴していた番組が記録再生装置４０１内の記録媒体に見つかった場合は、視聴位置情報を解釈し（ステップＳ８０７）、指定された位置から番組の再生を行う（ステップＳ８０８）。これにより据え置きＴＶ１００で視聴していたものと同じ番組を同じ位置からモバイルＴＶでも視聴を継続することができる。
【００５９】
ＣＰＵ２０４はステップＳ８０８で、これまで据え置きＴＶ１００で視聴していた番組が記録再生装置４０１内の記録媒体に見つからなかった場合は、映像・音声・文字情報等から構成されている番組内容そのものを据え置きＴＶ１００からデータ転送して貰うように据え置きＴＶ１００に対して番組内容の転送要求コマンドを発行する（ステップＳ８０９）。
【００６０】
据え置きＴＶ１００内のＣＰＵ１０４は、モバイルＴＶ２００からの番組内容の転送要求コマンドを受ける（ステップＳ７０９）。
ＣＰＵ１０４は、ステップＳ７０９で受けた番組内容の転送要求コマンドを受け入れるか否かを判定する（ステップＳ７１０）。
ＣＰＵ１０４は、ステップＳ７１０で受け入れる場合には、指定された番組内容が記録再生装置６０１内の記録媒体に記録されているか否かを判定する（ステップＳ７１１）。反対にＣＰＵ１０４は、ステップＳ７１０で受け入れない場合には、転送要求を拒否する信号をモバイルＴＶ２００へ出力することにより、モバイルＴＶ２００内のＣＰＵ２０４では継続視聴をあきらめる（ステップＳ８１３）。
【００６１】
ＣＰＵ１０４は、ステップＳ７１１で、指定された番組内容が記録再生装置６０１内の記録媒体に記録されている場合には番組内容をモバイルＴＶ２００に転送し（ステップＳ７１２）、記録されていない場合には番組内容が存在しないことを示す信号（エラーフラグ等）をモバイルＴＶ２００に送信する（ステップＳ７１３）。
【００６２】
上記ステップＳ７１２では、記録再生装置６０１内の記録媒体にスクランブル等の暗号化がかけられて記録されている場合は、番組内容と共に暗号化された契約情報をモバイルＴＶ２００に転送する、或いは番組内容のスクランブルを解いて番組データをモバイルＴＶ２００に転送してもよい。
【００６３】
モバイルＴＶ２００内のＣＰＵ２０４は、ステップＳ７１３で番組内容が存在しないことを示す信号を受信すると、先のステップＳ８１３へジャンプすることによりモバイルＴＶ２００内のＣＰＵ２０４では継続視聴をあきらめる。
【００６４】
モバイルＴＶ２００内のＣＰＵ２０４は、ステップＳ７１２で据え置きＴＶ１００からデータ転送されると、このデータ転送された番組内容そのものを受信し、記録再生装置４０１内の記録媒体に記録する（ステップＳ８１０）。
【００６５】
ＣＰＵ２０４は、据え置きＴＶ１００からデータ転送された番組内容受信して記録再生装置４０１で記録できたか否かを判定する（ステップＳ８１１）。
ＣＰＵ２０４は、ステップＳ８１１にて記録できた場合には、先のステップＳ８０７の処理へジャンプすることにより継続視聴が行われる。
ＣＰＵ２０４は、ステップＳ８１１にてデータの転送途中でデータ転送エラーが生じたり或いは他の原因で番組内容を記録再生装置４０１内の記録媒体に記録できなかった場合には、継続視聴をあきらめるか否かを判定する（ステップＳ８１２）。
【００６６】
ＣＰＵ２０４は、ステップＳ８１２であきらめる場合には、先のステップＳ８１３へジャンプすることによりモバイルＴＶ２００内のＣＰＵ２０４では継続視聴をあきらめる。また、ステップＳ８１２であきらめない場合には、先のステップＳ８０９へジャンプすることにより再度番組内容の転送を要求する。また、データ転送回線の品質が悪く転送に何度も失敗し、このステップＳ８１２の処理を実行しているような場合、転送要求をあきらめるような判断を行う。
【００６７】
（モバイルＴＶ２００から据え置きＴＶ１００へ視聴継続する場合の動作）
次に、内蔵記録再生装置を持つモバイルＴＶ２００で番組を持って外出していたユーザーが、内蔵記録再生装置を持つ据え置きＴＶ１００で継続視聴する場合の動作について詳細に説明する。
【００６８】
図８は、内蔵記録再生装置を持つモバイルＴＶ２００で番組を持って外出していたユーザーが、内蔵記録再生装置を持つ据え置きＴＶ１００で継続視聴する場合の動作を示すフローチャートである。
【００６９】
図８において、モバイルＴＶ２００内のＣＰＵ２０４は、モバイルＴＶ２００で放送中の番組を視聴しているとき（ステップＳ９０１）に、まず番組引継ぎモードが設定されているかどうか判定を行う（ステップＳ９０２）。ＣＰＵ２０４はステップＳ９０２で判定の結果、番組引継ぎモードに設定されている場合は、続いて有線で据え置きＴＶ１００と接続されているかどうか検知する（ステップＳ９０３）。またＣＰＵ２０４はステップＳ９０２で判定の結果、番組引継ぎモードに設定されていない場合は何も処理を行わずステップＳ９０１に戻る。
【００７０】
ＣＰＵ２０４はステップＳ９０３で、有線で据え置きＴＶ１００と接続されていることが確認された場合は、番組情報転送処理開始コマンドを発行する（ステップＳ９０４）。ＣＰＵ２０４はステップＳ９０３で、有線で据え置きＴＶ１００と接続されていない場合はステップＳ９０１に戻る。
【００７１】
ＣＰＵ２０４は、この番組情報処理開始コマンドにより現在放送中の番組であるかどうかを判断し（ステップＳ９０５）、放送中の番組であると判定した場合、視聴中の番組情報、例えばアナログ放送であれば放送局情報、デジタル放送であればＰＩＤ等の選局情報、更には有料放送の場合には契約情報の抽出を行う（ステップＳ９０６）。
【００７２】
ステップＳ９０５でＣＰＵ２０４が放送中の番組でないと判定した場合には記録再生装置６０１から再生した番組を視聴している状態なので、再生視聴中の番組情報、例えばアナログ放送であれば放送局情報、デジタル放送であればＰＩＤ等の選局情報、更には有料放送の場合は契約情報、視聴位置情報（番組のどの位置まで視聴したかを示す情報）の抽出を行う（ステップＳ９０７）。
【００７３】
上記ステップＳ９０６にて抽出した番組情報（選局情報＋暗号化した［契約情報］）またはステップＳ９０７にて抽出した番組情報（選局情報＋暗号化した［契約情報］＋視聴位置情報）を据え置きＴＶ１００に送信する（ステップＳ９０８）。
【００７４】
ステップＳ９０６，Ｓ９０７では、番組がスクランブル等の暗号化がかけられておらず平文で記録されている場合は契約情報の転送は必要ない。
また、上記した視聴位置情報（番組のどの位置まで視聴したかを示す情報）とは、番組をどこまで再生していたかを示す情報で、番組の先頭からの積算時間（タイムスタンプ）、あるいはデジタル放送であれば、パケット内に記載されているＰＴＳ（Ｐｒｅｓｅｎｔａｔｉｏｎ　Ｔｉｍｅ　Ｓｔａｍｐ）やＤＴＳ（Ｄｅｃｏｄｉｎｇ　Ｔｉｍｅ　Ｓｔａｍｐ）等のタイムスタンプを利用しても良い。
【００７５】
図８では有線通信を例にとって説明を行っているが、もちろん他の検知手段を用いて番組情報転送処理開始コマンドの発行を行っても構わない。例えばモバイルＴＶ２００に存在する特定のボタン（例えば番組情報送出ボタン等：図示せず）が押されたこと、モバイルＴＶ２００の近傍で相互通信可能な据え置きＴＶ１００の電源が入れられたことをモバイルＴＶ２００が検知して番組情報転送処理開始コマンドの発行を行っても構わない。或いはモバイルＴＶ２００と相互通信可能な据え置きＴＶ１００との間で基準信号を一定の時間間隔で通信を行い、この基準信号の強度がある閾値を超えたことを検知して番組情報転送処理開始コマンドの発行を行っても構わない。
【００７６】
また、有線による通信と、ＢｌｕｅｔｏｏｔｈやＩＥＥＥ８０２．１１のような無線による通信とを自動検出するような手段を組み込んでも構わない。
据え置きＴＶ１００内のＣＰＵ１０４は、モバイルＴＶ２００から送信された番組情報を受信する（ステップＳ１００１）。
次に、ＣＰＵ１０４は番組情報引継ぎモードに設定されているかどうか判定を行い（ステップＳ１００２）、番組情報引継ぎモードに設定されている場合は続けて現在放送中の番組かどうか判定を行う（ステップＳ１００３）。またＣＰＵ１０４はステップＳ１００２で判定した結果、番組情報引継ぎモードに設定されていない場合は何も処理を行わず終了する。
【００７７】
ＣＰＵ１０４はステップＳ１００３の判定の結果、現在放送中の番組であればチューナー２０３を選局して番組を受信し（ステップＳ１００４）、現在放送中の番組でなければ、記録再生装置４０１からこれまでユーザーが視聴していた番組が記録再生装置４０１内の記録媒体に記録されていないか検索する（ステップＳ１００５）。上記ステップＳ１００４では、有料放送の場合、必要に応じて契約情報を基にスクランブルの解除についても行う。
【００７８】
ＣＰＵ１０４は、ステップＳ１００５での検索の結果、ステップＳ１００６にてこれまでモバイルＴＶ２００で視聴していた番組が記録再生装置４０１内の記録媒体に見つかった場合は、視聴位置情報を解釈し（ステップＳ１００７）、指定された位置から番組の再生を行う（ステップＳ１００８）。これによりモバイルＴＶ２００で視聴していたものと同じ番組を同じ位置からモバイルＴＶでも視聴を継続することができる。
【００７９】
ＣＰＵ１０４はステップＳ１００８で、これまでモバイルＴＶ２００で視聴していた番組が記録再生装置４０１内の記録媒体に見つからなかった場合は、映像・音声・文字情報等から構成されている番組内容そのものをモバイルＴＶ２００からデータ転送して貰うようにモバイルＴＶ２００に対して番組内容の転送要求コマンドを発行する（ステップＳ１００９）。
【００８０】
モバイルＴＶ２００内のＣＰＵ２０４は、据え置きＴＶ１００からの番組内容の転送要求コマンドを受ける（ステップＳ９０９）。
ＣＰＵ２０４は、ステップＳ９０９で受けた番組内容の転送要求コマンドを受け入れるか否かを判定する（ステップＳ９１０）。
ＣＰＵ２０４は、ステップＳ９１０で受け入れる場合には、指定された番組内容が記録再生装置６０１内の記録媒体に記録されているか否かを判定する（ステップＳ９１１）。反対にＣＰＵ２０４は、ステップＳ９１０で受け入れない場合には、転送要求を拒否する信号を据え置きＴＶ１００へ出力することにより、据え置きＴＶ１００内のＣＰＵ１０４では継続視聴をあきらめる（ステップＳ１０１３）。
【００８１】
ＣＰＵ２０４は、ステップＳ９１１で、指定された番組内容が記録再生装置６０１内の記録媒体に記録されている場合には番組内容を据え置きＴＶ１００に転送し（ステップＳ９１２）、記録されていない場合には番組内容が存在しないことを示す信号（エラーフラグ等）を据え置きＴＶ１００に送信する（ステップＳ９１３）。
【００８２】
上記ステップＳ９１２では、記録再生装置６０１内の記録媒体にスクランブル等の暗号化がかけられて記録されている場合は、番組内容と共に暗号化された契約情報を据え置きＴＶ１００に転送する、或いは番組内容のスクランブルを解いて番組データを据え置きＴＶ１００に転送してもよい。
【００８３】
据え置きＴＶ１００内のＣＰＵ１０４は、ステップＳ９１３で番組内容が存在しないことを示す信号を受信すると、先のステップＳ１０１３へジャンプすることにより据え置きＴＶ１００内のＣＰＵ１０４では継続視聴をあきらめる。
【００８４】
据え置きＴＶ１００内のＣＰＵ１０４は、ステップＳ９１２でモバイルＴＶ２００からデータ転送されると、このデータ転送された番組内容そのものを受信し、記録再生装置４０１内の記録媒体に記録する（ステップＳ１０１０）。
【００８５】
ＣＰＵ１０４は、モバイルＴＶ２００からデータ転送された番組内容受信して記録再生装置４０１で記録できたか否かを判定する（ステップＳ１０１１）。
ＣＰＵ１０４は、ステップＳ１０１１にて記録できた場合には、先のステップＳ１００７の処理へジャンプすることにより継続視聴が行われる。
ＣＰＵ１０４は、ステップＳ１０１１にてデータの転送途中でデータ転送エラーが生じたり或いは他の原因で番組内容を記録再生装置４０１内の記録媒体に記録できなかった場合には、継続視聴をあきらめるか否かを判定する（ステップＳ１０１２）。
【００８６】
ＣＰＵ１０４は、ステップＳ１０１２であきらめる場合には、先のステップＳ１０１３へジャンプすることにより据え置きＴＶ１００内のＣＰＵ１０４では継続視聴をあきらめる。また、ステップＳ１０１２であきらめない場合には、先のステップＳ１００９へジャンプすることにより再度番組内容の転送を要求する。また、データ転送回線の品質が悪く転送に何度も失敗し、このステップＳ１０１２の処理を実行しているような場合、転送要求をあきらめるような判断を行う。
【００８７】
なお、番組を継続視聴する場合、必ずしも同じ番組の同じ再生位置から再生する必要はなく、同じ番組の頭から再生するようにしても良い。また、全く同じ位置から再生するのではなく、１０秒程度戻った位置から再生するようにしても良い。これにより継続視聴したとき継続視聴の繋がり部分でストーリー等が切れないようにすることができる。
【００８８】
また、継続視聴先の機器に番組データを記録可能な記録装置を内蔵することで、現在放送されている番組をそのまま継続視聴させるだけでなく、継続視聴先の機器の内蔵記録装置に番組を記録しておくようにすることにより、この記録した番組をユーザーが視聴したいときに視聴することができるようになる。
【００８９】
ＴＶ１００とＴＶ２００はそれぞれ据え置きＴＶとモバイルＴＶに限る必要はなく、番組情報転送処理開始コマンドを発行するしくみを工夫して組み合わせることは自由である。
【００９０】
以上説明したとおり本発明の第３の実施の形態によれば、複数の機器間で番組を継続視聴することができる。
（第４の実施の形態）
この第４の実施の形態は、モバイルＴＶ２００の記録再生装置４０１内の記録媒体の容量があまり大きいものではないであろうということを考慮し、据え置きＴＶ１００でユーザーが視聴した番組と同じ番組がモバイルＴＶ２００の記録再生装置６０１内の記録媒体に記録されている場合は、この番組内容データを削除する実施の形態である。
【００９１】
ユーザーが番組を見終わったかどうかについては視聴位置情報（再生位置情報）によって判断可能であるので、この視聴位置情報（再生位置情報）を利用して制御を行う。
【００９２】
発明の構成を示すブロック図は上記第３の実施の形態の図６と同じであるため説明は省略し、異なる動作について図９を参照しながら詳細に説明する。
図９は、内蔵記録再生装置を持つ据え置きＴＶ１００で番組を視聴していたユーザーが、内蔵記録再生装置を持つモバイルＴＶ２００を持って外出する場合の動作を示すフローチャートである。
【００９３】
図９は、上記第３の実施の形態で用いた図７に、新たにステップＳ１１０１とステップＳ１１０２の２つの処理ステップを追加しただけである。ここでは図７と同じ動作については説明を省略し、この異なる動作についてのみ説明する。
【００９４】
図９において、ＣＰＵ２０４は、ステップＳ８０５での検索の結果、ステップＳ８０６にてこれまで据え置きＴＶ１００で視聴していた番組が記録再生装置４０１内の記録媒体に見つかった場合は、視聴位置情報を解釈する（ステップＳ８０７）。
【００９５】
次に、ＣＰＵ２０４は、番組視聴位置情報を用いて番組は最後まで視聴されていたか否かを判定する（ステップＳ１１０１）。
次に、ＣＰＵ２０４は、ステップＳ１１０１で番組の最後まで視聴されていると判定した場合は、記録再生装置４０１内の記録媒体に記録されている該当番組内容データを消去する（Ｓ１１０２）。またＣＰＵ２０４は、番組の最後まで視聴されていないと判定した場合は、ステップＳ８０８へ移り、指定された位置から番組の再生を行う。これにより据え置きＴＶ１００で視聴していたものと同じ番組を同じ位置からモバイルＴＶでも視聴を継続することができる。
【００９６】
以上説明したとおり本発明の第４の実施の形態によれば、複数の機器間で番組を継続視聴することができる。更に、据え置きＴＶ１００の記録再生装置内の記録媒体に重複されて記録されていて視聴済の番組は自動的に消去されるので、モバイルＴＶ２００の記録再生装置６０１内の記録媒体を有効活用することができる。
【００９７】
（第５の実施の形態）
この第５の実施の形態は、モバイルＴＶ２００と据え置きＴＶ１００間での番組内容データの転送回数を減らすため、モバイルＴＶ２００でユーザーが番組を視聴し始めると同じ番組を据え置きＴＶ１００の記録装置１０６で記録を開始する実施の形態である。
【００９８】
モバイルＴＶ２００と据え置きＴＶ１００が相互に通信可能な状態において、モバイルＴＶ２００の電源が入っており、ユーザーが番組を視聴していることを検知した場合にモバイルＴＶ２００で視聴している番組情報（選局情報）を据え置きＴＶ１００に送信することでこの機能を実現している。
【００９９】
本実施の形態では、番組情報を貰ったらその番組を記録するという“番組引継ぎ記録モード”というモードを追加し、このモードが設定されている場合はモバイルＴＶ２００から据え置きＴＶ１００に番組情報（選局情報および有料放送の場合は契約情報）を送信する。
【０１００】
発明の構成を示すブロック図は上記第３の実施の形態の図６と同じであるため説明は省略し、異なる動作について図１０を参照しながら詳細に説明する。
図１０は、上記第３の実施の形態で用いた図８に、新たにステップＳ１２０１，ステップＳ１２０２およびステップＳ１３０１乃至ステップＳ１３０４の処理ステップを追加しただけである。ここでは図８と同じ動作については説明を省略し、この異なる動作についてのみ説明する。
【０１０１】
図１０において、モバイルＴＶ２００内のＣＰＵ２０４は、モバイルＴＶ２００で放送中の番組を視聴しているとき（ステップＳ９０１）に、まず番組引継ぎ記録モードが設定されているかどうか判定を行う（ステップＳ１２０１）。ＣＰＵ２０４はステップＳ１２０１で判定の結果、番組引継ぎ記録モードに設定されている場合は、続いて有線で据え置きＴＶ１００と接続されているかどうか検知する（ステップＳ９０３）。ＣＰＵ２０４はステップＳ１２０１で判定の結果、番組引継ぎ記録モードに設定されていない場合は、番組引継ぎモードが設定されているかどうか判定を行う（ステップＳ１２０２）。ＣＰＵ２０４はステップＳ１２０２で判定の結果、番組引継ぎモードに設定されている場合は、上記したステップＳ９０３にて有線で据え置きＴＶ１００と接続されているかどうか検知する。またＣＰＵ２０４はステップＳ１２０２で判定の結果、番組引継ぎモードに設定されていない場合は何も処理を行わずステップＳ９０１に戻る。
【０１０２】
据え置きＴＶ１００内のＣＰＵ１０４は、モバイルＴＶ２００から送信された番組情報を受信する（ステップＳ１００１）。
次に、ＣＰＵ１０４は番組情報引継ぎ記録モードに設定されているかどうか判定を行い（ステップＳ１３０１）、番組情報引継ぎ記録モードに設定されていない場合は番組情報引継ぎ記録モードに設定されているかどうか判定を行う（ステップＳ１００２）。またＣＰＵ１０４はステップＳ１３０１で判定した結果、番組情報引継ぎ記録モードに設定されている場合は続けて現在放送中の番組かどうか判定を行う（ステップＳ１３０２）。
【０１０３】
ＣＰＵ１０４はステップＳ１３０２の判定の結果、現在放送中の番組であればチューナー１０３を選局して番組を受信すると共に（ステップＳ１３０３）、記録再生装置６０１内の記録媒体へ記録する（ステップ１３０４）。また、ＣＰＵ１０４はステップＳ１３０２の判定の結果、現在放送中の番組でなければ何も処理を行わず終了する。
【０１０４】
上記ステップＳ１３０３では、有料放送の場合、必要に応じて契約情報を基にスクランブルの解除についても行う。
以上説明したとおり本発明の第５の実施の形態によれば、複数の機器間で番組を継続視聴することができる。更に、モバイルＴＶ２００でユーザーが番組を視聴している放送番組を自動的に受信・記録するので、モバイルＴＶ２００と据え置きＴＶ１００間での番組内容データの転送回数を減らすことができる。
【０１０５】
【発明の効果】
以上説明したようにこの発明によれば、継続視聴する前に視聴していた番組情報を継続視聴する機器に引き継いでいるので、異なる機器間で番組を継続視聴することができる。
【図面の簡単な説明】
【図１】本発明に係る視聴装置の第１の実施の形態の構成を説明するためのブロック図。
【図２】本発明に係る視聴装置の第１の実施の形態の動作を説明するためのフローチャート（据え置きＴＶ１００からモバイルＴＶ２００へ視聴継続する場合の動作）。
【図３】本発明に係る視聴装置の第１の実施の形態の動作を説明するためのフローチャート（モバイルＴＶ２００から据え置きＴＶ１００へ視聴継続する場合の動作）。
【図４】本発明に係る視聴装置の第２の実施の形態に係る据え置きＴＶと携帯型ＴＶの構成を示すブロック図である。
【図５】本発明に係る視聴装置の第２の実施の形態の動作を説明するためのフローチャート（据え置きＴＶ１００からモバイルＴＶ２００へ視聴継続する場合の動作）。
【図６】本発明に係る視聴装置の第３の実施の形態に係る据え置きＴＶとモバイルＴＶの構成を示すブロック図。
【図７】本発明に係る視聴装置の第３の実施の形態の動作を説明するためのフローチャート（据え置きＴＶ１００からモバイルＴＶ２００へ視聴継続する場合の動作）。
【図８】本発明に係る視聴装置の第３の実施の形態の動作を説明するためのフローチャート（モバイルＴＶ２００から据え置きＴＶ１００へ視聴継続する場合の動作）。
【図９】本発明に係る視聴装置の第４の実施の形態の動作を説明するためのフローチャート（据え置きＴＶ１００からモバイルＴＶ２００へ視聴継続する場合の動作）。
【図１０】本発明に係る視聴装置の第５の実施の形態の動作を説明するためのフローチャート（モバイルＴＶ２００から据え置きＴＶ１００へ視聴継続する場合の動作）。
【符号の説明】
１００…据え置きＴＶ、１０１，２０１…表示部、１０２，２０２…受信アンテナ、１０３，２０３…チューナー、１０４，２０４…ＣＰＵ、１０５，２０５…メモリ、１０７，２０７…インターフェイス部、１０８，２０８…受信部、１０９，２０９…送信部、１１０…コマンド受信部、２００…モバイルＴＶ、２１０…コマンド入力部、４０１，６０１…記録再生装置。
【図１】
2004048132.tif 000003
【図２】
2004048132.tif 000004
【図３】
2004048132.tif 000005
【図４】
2004048132.tif 000006
【図５】
2004048132.tif 000007
【図６】
2004048132.tif 000008
【図７】
2004048132.tif 000009
【図８】
2004048132.tif 000010
【図９】
2004048132.tif 000011
【図１０】
2004048132.tif 000012